(57)【特許請求の範囲】
【請求項１】
γ−ブチロラクトンとエチレングリコールとの混合溶媒からなる有機極性溶媒に対し、溶質として、少なくとも、以下の化学式で示される三級アミンである１，２−ジメチルアジリジンイオンと、有機酸との塩を配合してなり、
前記有機酸がフタル酸またはマレイン酸であり、前記有機酸と１，２−ジメチルアジリジンイオンとの塩の配合量が、電解液全体に対して１５〜４０重量％であり、
前記混合溶媒におけるエチレングリコールの配合量が、電解液全体に対して１〜３０重量％であることを特徴とする電解コンデンサの駆動用電解液。
【化１】
0004662263.tif 000008
【発明の詳細な説明】
【技術分野】
【０００１】
本発明は、電解コンデンサの駆動用電解液（以下、電解液と称す）に関するものである。
【背景技術】
【０００２】
従来、高周波低インピーダンス対応のアルミニウム電解コンデンサには、γ−ブチロラクトンを主体とする溶媒に、フタル酸やマレイン酸などのカルボン酸の四級アンモニウム塩を溶質として用いた電導度の高い電解液が知られている（例えば、特許文献１）。
【０００３】
しかしながら、四級アンモニウム塩系電解液を用いてアルミニウム電解コンデンサを作製するにあたって、コンデンサ素子から突出するリード部分を封口ゴムのリード孔部に通した状態で密封すると、四級アンモニウム塩の塩基成分が陰極側のリード孔部やリード部分を劣化させ、電解液が封口ゴムの陰極側のリード孔部から漏れるとされている。
【０００４】
このような液漏れを回避する方法として、四級アンモニウム塩系電解液に代えて、三級アンモニウム塩系電解液を使用することが検討されており、このような電解液としては、トリエチルアミン塩や、ペンタアルキルグアニジン塩を溶質として用いたものがある（例えば、特許文献２参照）。
【特許文献１】特開昭６２−１４５７１３
【特許文献２】特開平９−２８３３７９
【発明の開示】
【発明が解決しようとする課題】
【０００５】
しかしながら、上記従来の三級アンモニウム塩系電解液は、四級アンモニウム塩系電解液に比較して電導度が低いため、電解コンデンサに用いても所望のインピーダンス特性を得ることができないなどの問題点がある。
【０００６】
以上の問題点に鑑みて、本発明の課題は、三級アンモニウム塩系であって、かつ、高い電導度を有するとともに、電解コンデンサの信頼性を向上できる電解液を提供することにある。
【課題を解決するための手段】
【０００７】
上記課題を解決するために、本発明の電解コンデンサの駆動用電解液は、γ−ブチロラクトンとエチレングリコールとの混合溶媒からなる有機極性溶媒に対し、溶質として、少なくとも、以下の化学式で示される三級アミンである１，２−ジメチルアジリジンイオンと、有機酸との塩を配合してなり、有機酸がフタル酸またはマレイン酸であり、有機酸と１，２−ジメチルアジリジンイオンとの塩の配合量が、電解液全体に対して１５〜４０重量％であり、混合溶媒におけるエチレングリコールの配合量が、電解液全体に対して１〜３０重量％であることを特徴とする。
【００２５】
本発明の電解液は必要により、種々の添加剤を添加することができる。添加剤としては、マンニトール、ソルビトール等の多価アルコールや、リン酸またはリン酸誘導体、ホウ酸誘導体、コロイダルシリカおよびニトロ化合物が挙げられる。
【発明の効果】
【００２６】
本発明の電解液では、γ−ブチロラクトンとエチレングリコールとの混合溶媒からなる有機極性溶媒に溶質として三級アミンである１，２−ジメチルアジリジンイオンと有機酸との塩を配合し、有機酸がフタル酸またはマレイン酸であり、有機酸と１，２−ジメチルアジリジンイオンとの塩の配合量が、電解液全体に対して１５〜４０重量％であり、混合溶媒におけるエチレングリコールの配合量が、電解液全体に対して１〜３０重量％であるため、高い電導度（低比抵抗）が得られる。
従って、電解コンデンサの初期的なｔａｎδを低く抑えることができ、かつ、高温印加試験を行ってもｔａｎδの増大が小さい。それ故、電解コンデンサの初期特性、信頼性および寿命を向上することができる。
また、本発明に係る電解液は、三級アミンを用いているため、電解コンデンサを作製するにあたって、コンデンサ素子から突出するリード部分を封口ゴムのリード孔部に通した状態で密封しても、塩基成分が陰極側のリード孔部やリード部分を劣化させることがないので、電解液が封口ゴムの陰極側のリード孔部から漏れることがない。
【発明を実施するための最良の形態】
【００２７】
以下、実施例に基づいて本発明をより具体的に説明する。まず、本発明の実施例２〜５、９〜１２、１５〜１８、２２〜２５および比較例１、６〜８、１３、１４、１９〜２１、２６に係る電解液の組成、並びに電解液の３０℃における比抵抗を表１、表２に示す。
【表１】
0004662263.tif 000002
【表２】
0004662263.tif 000003
【００２８】
また、本発明とその作用、効果を比較するための従来例１〜４の電解液について、その組成並びに３０℃における比抵抗を表３に示す。
【表３】
0004662263.tif 000004
【００２９】
表１〜２と表３との比較によって明らかなように、フタル酸塩である本発明の実施例２〜５、９〜１２は、同じくフタル酸塩である従来例３と比べて比抵抗が低い。また、マレイン酸塩を用いた本発明の実施例１５〜１８、２２〜２５は、同じくマレイン酸塩である従来例２、４と較べて比抵抗が低く、特に本発明の実施例１７、２３では、四級アンモニウム塩である従来例１と比較して比抵抗が低く、本発明の実施例に係る電解液は電導度が高いことが分かる。
【００３０】
また、本発明の例のうち、フタル酸塩を用いた例では、エチレングリコールが未添加の比較例１、およびエチレングリコールの添加量が３５．０重量％の比較例６においては、他の実施例と比較して比抵抗が高く、低比抵抗用途に不向きである。また、マレイン酸塩を用いた例においても同様に、エチレングリコールが未添加の比較例１４、およびエチレングリコールの添加量が３５．０重量％の比較例１９においては、他の実施例と比較して比抵抗が高いため、好ましくない。従って、エチレングリコールの添加量は、電解液全体に対して１〜３０重量％の範囲が好ましい。
【００３１】
また、本発明の例のうち、フタル酸塩を用いた例では、溶質濃度が４５．０重量％の比較例１３、および１０．０重量％以下の比較例７〜８では、その他の実施例より比抵抗が高いため、好ましくない。また、マレイン酸塩を用いた例においても同様に、溶質濃度が４５．０重量％以上の比較例２６、および１０．０重量％以下の比較例２０〜２１では、その他の実施例より比抵抗が高いため、好ましくない。従って、溶質濃度は１５〜４０重量％の範囲が好ましい。
【００３２】
次に、表１〜３の電解液を使用して、６．３Ｖ−１０００μＦ（φ１０×１２．５ｍｍＬ）の電解コンデンサを各１０個を作製し、ｔａｎδ、等価直列抵抗について初期特性測定後、高温印加試験（１０５℃、１０００時間、６．３Ｖ印加）を行い、表４および表５に示す結果を得た。
【表４】
0004662263.tif 000005
【表５】
0004662263.tif 000006
【００３３】
表４から明らかなように、電解液の溶質にフタル酸塩を用いた実施例２〜５、９〜１２は従来例３と比べて、高温印加試験においてｔａｎδおよび等価直列抵抗の増大が抑制され、優れた特性を示していることがわかる。
【００３４】
表５から明らかなように、電解液の溶質にマレイン酸塩を用いた実施例１５〜１８、２２〜２５は従来例２、４と比べて、高温印加試験においてｔａｎδおよび等価直列抵抗の増大が抑制され、優れた特性を示していることがわかる。
【００３５】
次に、本発明の実施例２〜５、９〜１２、１５〜１８、２２〜２５と従来例１の電解液を使用して、６．３Ｖ−１０００μＦ（φ１０×１２．５ｍｍＬ）の電解コンデンサを各１０個を作製し、温度８５℃、相対湿度８５％の高温高湿条件下で２０００時間６．３Ｖ印加の加速試験を行い、封口部のリード孔部からの液漏れの有無を調べ、表６に示す結果を得た。
【表６】
0004662263.tif 000007
【００３６】
表６から明らかなように、本発明の実施例２〜５、９〜１２、１５〜１８、２２〜２５の電解液を用いた電解コンデンサは、四級アンモニウム塩を溶質として用いている従来例１と較べて、高湿度条件下においても液漏れがなく、優れた信頼性を示していることがわかる。
【００３７】
なお、本発明の三級アミンである１，２−ジメチルアジリジンイオンとカルボン酸アニオンとから構成される塩の有機極性溶剤溶液からなる電解液は、実施例に限定されるものではなく、先に記載した各種化合物を単独または複数溶解した電解液を用いても同様の効果が得られる。